(57)【要約】【課題】  本発明は、除雪作業における上半身の過度な前屈や側屈方向負荷のアンバランスを低減することにより、身体特定箇所への負荷集中を緩和した使い易い除雪用具を提供する。【解決手段】  スコップ部と取っ手部が柄により連結されている除雪用具であって、柄のスコップ部との連結部近傍が下側把持部となされ、柄の略中間部分が上側把持部となされ、且つ、取っ手部と上側把持部を持ってスコップ部で雪を掬う姿勢時に、下側把持部と上側把持部が略鉛直線上に位置するように配置されていることを特徴とする除雪用具。【選択図】  図１
2006274534.tif 000002
【特許請求の範囲】
【請求項１】
スコップ部と取っ手部が柄により連結されている除雪用具であって、柄のスコップ部との連結部近傍が下側把持部となされ、柄の略中間部分が上側把持部となされ、且つ、取っ手部と上側把持部を持ってスコップ部で雪を掬う姿勢時に、下側把持部と上側把持部が略鉛直線上に位置するように配置されていることを特徴とする除雪用具。
【請求項２】
柄が、略直線状の下側把持部、上方に凸に屈曲された屈曲部及び略直線状の上側柄部よりなり、該屈曲部は、大きく屈曲し、下側把持部に連結された第１の屈曲部と、直線状又はわずかに屈曲し、上側柄部に連結された第２の屈曲部が連結されてなり、第２の屈曲部に上側把持部が形成されていることを特徴とする請求項１記載の除雪用具。
【請求項３】
下側把持部と上側柄部が略同一直線上に配置されていることを特徴とする請求項２記載の除雪用具。
【請求項４】
上側柄部と第２の屈曲部は鋭角で連結され、下側把持部と第１の屈曲部は、該上側柄部と第２の屈曲部の連結角度より大きい角度で連結されていることを特徴とする請求項２又は３記載の除雪用具。
【請求項５】
柄は略直線状であり、略直線状の柄の中途に上方に凸に屈曲された屈曲部材が連結されており、該屈曲部材は、大きく屈曲し、下側把持部に連結された第１の屈曲部と、直線状又はわずかに屈曲し、上側柄部に連結された第２の屈曲部が連結されてなり、第２の屈曲部に上側把持部が形成されていることを特徴とする請求項１記載の除雪用具。
【請求項６】
柄と第２の屈曲部は鋭角で連結され、柄と第１の屈曲部は、該柄と第２の屈曲部の連結角度より大きい角度で連結されていることを特徴とする請求項５記載の除雪用具。
【発明の詳細な説明】
【技術分野】
【０００１】
本発明は、雪掻きをする際に好適に使用できる、スコップ部を有する除雪用具に関する。
【背景技術】
【０００２】
従来から、雪国においては屋根の上の雪や道端の雪を除雪するために、スコップ部を有する除雪用具が使用されている。スコップ部を有する除雪用具としては、一般に図４に示したように、取っ手部４とスコップ部５が直線状の棒で形成された柄で連結された除雪用具が使用されていた。
【０００３】
しかしながら、直線状の柄で連結された除雪用具で除雪する場合は、図５に示したように、上半身が深い前屈姿勢となり、このような姿勢でスコップ部に重量物である雪を載せて掬い上げると、人体骨格である脊柱と上半身を引き上げる背筋群に負荷が集中し、腰痛を誘発する危険性があった。
【０００４】
そのため、安全な除雪姿勢として図６に示したように、膝関節を屈曲したスクワット姿勢で雪を掬い上げ、膝を伸ばしながら投雪動作を行うことが推奨されている。この場合、腰部への負担は軽減されるものの、脚屈曲伸展動作が新たな運動として加わると共に、体全体を大きく上下動させることによる負担が強くなってしまうという欠点があった。
【０００５】
上記欠点を解消するために、種々の提案がなされている。例えば、スコップ等の柄の部分に、腰高部分（１）と曲線部分（２）を、設けて構成し、梃子の原理を応用する事によって、作業能率が向上する特徴をもった能率スコップ（例えば、特許文献１参照。）や柄の上部にＳ字型湾曲を設け、全長を長くし、器具と一体化したＳ字型長柄農機具（例えば、特許文献２参照。）が提案されている。
【特許文献１】特開２００２−２２０８４９号公報
【特許文献２】特開２００２―２３３２０１号公報
【０００６】
しかしながら、屈曲形状柄部を有する除雪用具では、雪を地面より掬い上げる際に図７に示したように浅い前屈姿勢となる。このため、直線柄部を有する除雪具と比較すると、前屈に起因する腰部への負担は大きく軽減される。しかし、スコップ部の位置が身体中心より横に大きくずれており、このような姿勢で雪を掬い上げる場合には、上体を側屈させる方向に大きな力が働く。
【０００７】
そのため、スコップ部と反対側の体幹の側屈を防ぐ筋群への負担が大きくなる一方で、スコップ側の同筋群への負担は小さいなど、バランスの悪い作業負荷が発生する。更に、実際の除雪作業においては地表付近の低い位置にある雪を掬い取り除くのみならず、膝高程度高さから雪を掬う場合も多い。そのため、従来の直線柄部を有する除雪具と同様に、スコップ部近傍に把持部があることも併せて必要である。
【発明の開示】
【発明が解決しようとする課題】
【０００８】
本発明は、上記従来技術の課題に鑑みてなされたものであり、除雪作業における上半身の過度な前屈や側屈方向負荷のアンバランスを低減することにより、身体特定箇所への負荷集中を緩和した使い易い除雪用具を提供することにある。
【課題を解決するための手段】
【０００９】
請求項１記載の除雪用具は、スコップ部と取っ手部が柄により連結されている除雪用具であって、柄のスコップ部との連結部近傍が下側把持部となされ、柄の略中間部分が上側把持部となされ、且つ、取っ手部と上側把持部を持ってスコップ部で雪を掬う姿勢時に、下側把持部と上側把持部が略鉛直線上に位置するように配置されていることを特徴とする。
【００１０】
請求項２記載の除雪用具は、柄が、略直線状の下側把持部、上方に凸に屈曲された屈曲部及び略直線状の上側柄部よりなり、該屈曲部は、大きく屈曲し、下側把持部に連結された第１の屈曲部と、直線状又はわずかに屈曲し、上側柄部に連結された第２の屈曲部が連結されてなり、第２の屈曲部に上側把持部が形成されていることを特徴とする請求項１記載の除雪用具である。
【００１１】
請求項３記載の除雪用具は、下側把持部と上側柄部が略同一直線上に配置されていることを特徴とする請求項２記載の除雪用具である。
【００１２】
請求項４記載の除雪用具は、上側柄部と第２の屈曲部は鋭角で連結され、下側把持部と第１の屈曲部は、該上側柄部と第２の屈曲部の連結角度より大きい角度で連結されていることを特徴とする請求項２又は３記載の除雪用具である。
【００１３】
請求項５記載の除雪用具は、柄は略直線状であり、略直線状の柄の中途に上方に凸に屈曲された屈曲部材が連結されており、該屈曲部材は、大きく屈曲し、下側把持部に連結された第１の屈曲部と、直線状又はわずかに屈曲し、上側柄部に連結された第２の屈曲部が連結されてなり、第２の屈曲部に上側把持部が形成されていることを特徴とする請求項１記載の除雪用具である。
【００１４】
請求項６記載の除雪用具は、柄と第２の屈曲部は鋭角で連結され、柄と第１の屈曲部は、該柄と第２の屈曲部の連結角度より大きい角度で連結されていることを特徴とする請求項５記載の除雪用具である。
【発明の効果】
【００１５】
本発明の除雪用具の構成は上述の通りであり、除雪作業における上半身の過度な前屈や側屈方向負荷のアンバランスが低減され、身体特定箇所への負荷集中を緩和され使い易い。
【００１６】
雪掬い姿勢時に、スコップ部近傍の下側把持部と屈曲部上の上側把持部とが略鉛直線上になるようになされているので、雪を地面より掬い上げる際には図３に示した作業姿勢となり、図４及び図５に示した直線柄による構成に比して上半身が浅い前屈姿勢となる。
【００１７】
又、スコップ部の身体中心からの横ずれ量も、図７に示したＳ字屈曲柄による構成に比して少なくなっている。そのため、前屈に起因する腰部への負担が大きく軽減されると同時に、側屈方向負荷のアンバランスに起因するスコップ部と反対側の体幹の側屈を防ぐ筋群への負担も大きく軽減される。
【００１８】
また、本構成において膝高程度高さから雪を掬う際には、図１に示すスコップ部近傍の下側把持部を握ることにより、従来の直線柄部を有する除雪具と同様の作業が可能である。
【発明を実施するための最良の形態】
【００１９】
以下、本発明の実施例を図面を参照して説明するが、下記実施例に限定されるものではない。
【００２０】
図１は請求項１記載の除雪用具の一例を示す斜視図である。図中１は略直線状の上側柄部であり、２は上方に凸に屈曲された屈曲部であり、３は略直線状の下側柄部である。上側柄部１と屈曲部２と下側柄部３は一体的に連設されて柄６となされている。
【００２１】
又、上側柄部１は取っ手部４に連結されており、下側柄部３はスコップ部５に連結され、連結部近傍が下側把持部３１となされている。上側柄部１と下側柄部３（下側把持部３１）は略同一直線上に配置されている。
【００２２】
屈曲部２は、大きく屈曲し、下側把持部３１に連結された第１の屈曲部２１と、直線状又はわずかに屈曲し、上側柄部１に連結された第２の屈曲部２２が連結されてなり、第２の屈曲部２２に上側把持部２３が形成されている。
【００２３】
第２の屈曲部２２の上端部は上側柄部１と鋭角で連結され、第１の屈曲部２１の下端部は下側把持部３１（下側柄部（３））と、第２の屈曲部２２の上端部と上側柄部１との連結角度より大きい角度で連結されており、第２の屈曲部２２と第１の屈曲部２１が連結一体化されて屈曲部２となされている。
【００２４】
そして、上記除雪用具を用いてスコップ部５で雪を掬う姿勢時（スコップ部５の底面が水平になるように雪を掬う姿勢時）には、図３に示したように、下側把持部３１と上側把持部２３は略鉛直線上に位置するように形成されている。
【００２５】
図２は請求項５記載の除雪用具の一例を示す斜視図である。図中４は取っ手部であり、５はスコップ部である。取っ手部４とスコップ部５は直線状の柄６により連結されており、柄６のスコップ部５との連結部近傍が下側把持部３１となされている。
【００２６】
図中７は上方に凸に屈曲された屈曲部材であり、屈曲部材７は、大きく屈曲し、下側把持部３１を介して柄６の下端部付近に連結された第１の屈曲部２１と、直線状又はわずかに屈曲し、柄６の取っ手部４付近に連結された第２の屈曲部２２からなり、第２の屈曲部２２と第１の屈曲部２１は連結一体化されて屈曲材部７となされている。又、第２の屈曲部２２に上側把持部２３が形成されている。
【００２７】
第２の屈曲部２２の上側端部は柄６に鋭角で連結され、第１の屈曲部２１の下側端部は、該柄６と第２の屈曲部２２の上側端部の連結角度より大きい角度で柄６に連結されている。
【００２８】
柄６と屈曲部材７の連結方法は、特に限定されず、従来公知の任意の方法が採用されてよく、例えば、ネジやバンド等のクランプ具を用いて固定する方法、溶接する方法等が挙げられる。
【００２９】
そして、上記除雪用具を用いてスコップ部５で雪を掬う姿勢時（スコップ部５の底面が水平になるように雪を掬う姿勢時）には、図３に示したように、下側把持部３１と上側把持部２３は略鉛直線上に位置するように形成されている。
【図面の簡単な説明】
【００３０】
【図１】請求項１記載の除雪用具の一例を示す斜視図である。
【図２】請求項５記載の除雪用具の一例を示す斜視図である。
【図３】請求項１記載の除雪用具の使用状態の一例を示す斜視図である。
【図４】直線状の柄で連結された除雪用具の一例を示す斜視図である。
【図５】直線状の柄で連結された除雪用具の使用状態の一例を示す斜視図である。
【図６】直線状の柄で連結された除雪用具の使用状態の一例を示す斜視図である。
【図７】屈曲形状柄部を有する除雪用具の使用状態の一例を示す斜視図である。
【符号の説明】
【００３１】
１    上側柄部
２    屈曲部
２１  第１の屈曲部
２２  第２の屈曲部
２３  上側把持部
３    下側柄部
３１  下側把持部
４    取っ手部
５    スコップ部
６    柄
７    屈曲部材
【図１】
2006274534.tif 000003
【図２】
2006274534.tif 000004
【図３】
2006274534.tif 000005
【図４】
2006274534.tif 000006
【図５】
2006274534.tif 000007
【図６】
2006274534.tif 000008
【図７】
2006274534.tif 000009